(57)【要約】【課題】  この発明は、所定の電子回路に使用される所定の電子部品の機種の選択する際に、ユーザの負担が軽減される電子部品の機種選択方法を提供することを目的とする。【解決手段】  ユーザは、所定の電子回路に使用される所定の電子部品を電子部品メーカから購入するにあたって、上記所定の電子回路の仕様を電子部品メーカに提供し、電子部品メーカは、ユーザから提供された上記所定の電子回路の仕様に基づいて、上記所定の電子部品の電気的特性を計算し、計算した電気的特性に適合した電子部品の機種をユーザに提示し、ユーザは、電子部品メーカによって提示された電子部品の機種から、所定の機種を選択する。【選択図】      図１
2008269656.tif 000002
【特許請求の範囲】
【請求項１】
ユーザは、所定の電子回路に使用される所定の電子部品を電子部品メーカから購入するにあたって、上記所定の電子回路の仕様を電子部品メーカに提供し、
電子部品メーカは、電子回路の仕様毎に適合する特性値の計算式と、適合する特性値関連づけられた電子部品データベースとを記憶したコンピュータを用い、ユーザから提供された上記所定の電子回路の仕様に基づいて、上記所定の電子部品の電気的特性を計算し、計算した電気的特性に適合した電子部品の機種をユーザに提示し、
ユーザは、電子部品メーカによって提示された電子部品の機種から、所定の機種を選択するようにした電子部品の機種選択方法。
【請求項２】
ユーザは、電源回路に使用されるコンデンサを電子部品メーカーから購入するにあたって、上記電源回路の仕様を電子部品メーカに提供し、
電子部品メーカは、電源回路の仕様毎に適合する特性値の計算式と、適合する特性値関連づけられたコンデンサ・データベースとを記憶したコンピュータを用い、ユーザから提供された上記所定の電源回路の仕様に基づいて、上記コンデンサの電気的特性を計算し、計算した電気的特性に適合したコンデンサの機種をユーザに提示し、
ユーザは、電子部品メーカによって提示されたコンデンサの機種から、所定の機種を選択するようにした電子部品の機種選択方法。
【請求項３】
ユーザは、所定の電子回路に使用される所定の電子部品を電子部品メーカから購入するにあたって、ユーザ端末を用いて上記所定の電子回路の仕様を電子部品メーカ・サーバに提供し、
電子部品メーカ・サーバは、ユーザ端末から提供された上記所定の電子回路の仕様に基づいて、上記所定の電子部品の電気的特性を計算し、計算した電気的特性に適合した電子部品の機種をユーザ端末を介してユーザに提示し、
ユーザ端末を介してユーザに提示された電子部品の機種から、所定の機種を選択する操作をユーザが行なうことにより、ユーザが選択した所定の機種に関する情報が、ユーザ端末を介して電子部品メーカ・サーバに送られるようにした電子部品の機種選択方法。
【請求項４】
ユーザは、電源回路に使用されるコンデンサを電子部品メーカーから購入するにあたって、ユーザ端末を用いて上記電源回路の仕様を電子部品メーカ・サーバに提供し、
電子部品メーカ・サーバは、ユーザ端末から提供された上記電源回路の仕様に基づいて、上記コンデンサの電気的特性を計算し、計算した電気的特性に適合したコンデンサの機種をユーザ端末を介してユーザに提示し、
ユーザ端末を介してユーザに提示されたコンデンサの機種から、所定の機種を選択する操作をユーザが行なうことにより、ユーザが選択した所定の機種に関する情報が、ユーザ端末を介して電子部品メーカ・サーバに送られるようにした電子部品の機種選択方法。
【発明の詳細な説明】
【技術分野】
【０００１】
この発明は、電子部品の機種選択方法および電子部品メーカ・サーバに関する。
【背景技術】
【０００２】
たとえば、電源回路に使用されるコンデンサの機種は、次のようにして選択される。つまり、電源回路の設計者（電子部品のユーザ）は電源回路の仕様を作成する。電源回路の仕様には、たとえば、電源回路のスイッチング周波数、入力電圧、出力電圧、出力電流、リップル電圧、使用環境温度、インダクタンス値、巻き数比（変圧器ありの場合）等の電源回路の電気的特性の他、各電子部品の実装高さ、面積等の物理的条件等が含まれている。
【０００３】
電源回路の設計者は、電源回路の仕様に含まれている電源回路の電気的特性に基づいて、コンデンサの電気的特性、たとえば、静電容量、ＥＳＲ、リップル電流を計算する。そして、得られたコンデンサの電気的特性を基に、電子部品メーカのカタログからコンデンサの機種を選択する。
【０００４】
電子部品メーカの中には、電源回路に用いられるコンデンサを購入しようとするユーザに、購入対象のコンデンサの電気的特性に関する情報を提供させ、提供されたコンデンサの電気的特性に応じたコンデンサの機種を検索して、当該ユーザに提示するサービスを行なっているものもある。
【０００５】
このような電子部品メーカのサービスを利用してコンデンサの機種を選択するためには、ユーザは、従来と同様に、電源回路の仕様に基づいて、コンデンサの電気的特性を計算しなければならず、このようなサービスは、ユーザにとって、さほど便利なものとは言えなかった。
【発明の開示】
【発明が解決しようとする課題】
【０００６】
この発明は、所定の電子回路に使用される所定の電子部品の機種の選択する際に、ユーザの負担が軽減される電子部品の機種選択方法および電子部品メーカ・サーバを提供することを目的とする。
【課題を解決するための手段】
【０００７】
この発明による第１の電子部品の機種選択方法は、ユーザは、所定の電子回路に使用される所定の電子部品を電子部品メーカから購入するにあたって、上記所定の電子回路の仕様を電子部品メーカに提供し、電子部品メーカは、ユーザから提供された上記所定の電子回路の仕様に基づいて、上記所定の電子部品の電気的特性を計算し、計算した電気的特性に適合した電子部品の機種をユーザに提示し、ユーザは、電子部品メーカによって提示された電子部品の機種から、所定の機種を選択するようにしたことを特徴とする。
【０００８】
この発明による第２の電子部品の機種選択方法は、ユーザは、電源回路に使用されるコンデンサを電子部品メーカーから購入するにあたって、上記電源回路の仕様を電子部品メーカに提供し、電子部品メーカは、ユーザから提供された上記電源回路の仕様に基づいて、上記コンデンサの電気的特性を計算し、計算した電気的特性に適合したコンデンサの機種をユーザに提示し、ユーザは、電子部品メーカによって提示されたコンデンサの機種から、所定の機種を選択するようにしたことを特徴とする。
【０００９】
この発明による第３の電子部品の機種選択方法は、ユーザは、所定の電子回路に使用される所定の電子部品を電子部品メーカから購入するにあたって、ユーザ端末を用いて上記所定の電子回路の仕様を電子部品メーカ・サーバに提供し、電子部品メーカ・サーバは、ユーザ端末から提供された上記所定の電子回路の仕様に基づいて、上記所定の電子部品の電気的特性を計算し、計算した電気的特性に適合した電子部品の機種をユーザ端末を介してユーザに提示し、ユーザ端末を介してユーザに提示された電子部品の機種から、所定の機種を選択する操作をユーザが行なうことにより、ユーザが選択した所定の機種に関する情報が、ユーザ端末を介して電子部品メーカ・サーバに送られるようにしたことを特徴とする。
【００１０】
この発明による第４の電子部品の機種選択方法は、ユーザは、電源回路に使用されるコンデンサを電子部品メーカーから購入するにあたって、ユーザ端末を用いて上記電源回路の仕様を電子部品メーカ・サーバに提供し、電子部品メーカ・サーバは、ユーザ端末から提供された上記電源回路の仕様に基づいて、上記コンデンサの電気的特性を計算し、計算した電気的特性に適合したコンデンサの機種をユーザ端末を介してユーザに提示し、ユーザ端末を介してユーザに提示されたコンデンサの機種から、所定の機種を選択する操作をユーザが行なうことにより、ユーザが選択した所定の機種に関する情報が、ユーザ端末を介して電子部品メーカ・サーバに送られるようにしたことを特徴とする。
【００１１】
この発明による第１の電子部品メーカ・サーバは、ユーザ端末とネットワークを介して接続される電子部品メーカ・サーバであって、ユーザ端末からの所定の指示に基づいて、ユーザが購入しようとする電子部品が組み込まれる電子回路の仕様をユーザに入力させるための仕様入力画面を、ユーザ端末を介してユーザに提示させるともに、仕様入力画面上でユーザによって入力された仕様をユーザ端末から取得する手段、およびユーザ端末から取得した仕様に基づいて、ユーザが購入しようとする電子部品の電気的特性を計算し、計算した電気的特性に適合した電子部品の機種をデータベースから検索し、その検索結果を示す検索結果画面をユーザ端末を介してユーザに提示させるとともに、検索結果画面上でユーザによって選択された機種に関する情報を取得する手段を備えていることを特徴とする。
【００１２】
この発明による第２の電子部品メーカ・サーバは、ユーザ端末とネットワークを介して接続される電子部品メーカ・サーバであって、ユーザ端末からの所定の指示に基づいて、ユーザが購入しようとするコンデンサが組み込まれる電源回路の仕様をユーザに入力させるための仕様入力画面を、ユーザ端末を介してユーザに提示させるともに、仕様入力画面上でユーザによって入力された仕様をユーザ端末から取得する手段、およびユーザ端末から取得した仕様に基づいて、ユーザが購入しようとするコンデンサの電気的特性を計算し、計算した電気的特性に適合したコンデンサの機種をデータベースから検索し、その検索結果を示す検索結果画面をユーザ端末を介してユーザに提示させるとともに、検索結果画面上でユーザによって選択された機種に関する情報を取得する手段を備えていることを特徴とする。
【発明の効果】
【００１３】
この発明によれば、所定の電子回路に使用される所定の電子部品の機種の選択する際に、ユーザの負担が軽減されるようになる。
【発明を実施するための最良の形態】
【００１４】
以下、図面を参照して、この発明を電源回路に含まれるコンデンサの機種選択に適用した場合の実施の形態について説明する。
【００１５】
〔１〕第１の実施の形態の説明
図１は、全体的なシステムの構成を示している。
【００１６】
ユーザ端末１０は、インターネット２０を介して、電子部品メーカのＷｅｂサーバ（電子部品メーカ・サーバ）３０に接続されている。ユーザ端末１０は、電子部品メーカ・サーバ３０と情報交換を行なうためのブラウザを備えている。電子部品メーカ・サーバ３０は、ユーザによって登録されたユーザ情報を記憶するユーザ管理データベース３１と、コンデンサの機種毎にその電気的特性、形状、寸法が記憶されたコンデンサ・データベース３２を備えている。
【００１７】
電源回路に使用されるコンデンサを電子部品メーカから購入する際には、ユーザはユーザ端末１０を用いて電子部品メーカ・サーバ３０にアクセスして、電子部品メーカ・サーバ３０が提供しているホームページ（Ｗｅｂページ）を取得する。そして、ホームページ上で所定の操作を行なうことによって、コンデンサの機種を選定するためのＷｅｂページ（以下、電源回路の仕様入力画面という）を電子部品メーカ・サーバ３０から取得する。
【００１８】
図２は、電源回路の仕様入力画面を示している。
【００１９】
電源回路の仕様入力画面には、この例では、電源回路の仕様に含まれている電源回路の電気的特性に関する情報を入力するための入力項目と、電源回路の種類を入力するための入力部とが表示されている。
【００２０】
電源回路の電気的特性に関する情報を入力するための入力項目としては、次のようなものがある。
【００２１】
（１）スイッチング周波数ｆosc 
（２）入力電圧Ｖin
（３）出力電圧Ｖout 
（４）出力電流Ｉout 
（５）リップル電圧ΔＶripple
（６）使用環境温度Ｔａ
（７）インダクタンス値Ｌ( フライバック型の場合Ｌ１）
（８）巻き数比ｎ１：ｎ２
【００２２】
電源回路の種類には、図２に図示されている５種類（1.降圧型、2.昇圧型、3.反転型、4.フォワード型、5.フライバック型）がある。電源回路の種類を入力するための入力部には、種類に対応する数字を入力する。
【００２３】
ユーザは、電源回路の仕様入力画面において、電源回路の電気的特性に関する情報と、電源回路の種類とを入力した後、検索ボタンをクリックする。検索ボタンがユーザによってクリックされると、ユーザによって入力された情報が、ユーザ端末１０から電子部品メーカ・サーバ３０に送られる。
【００２４】
電子部品メーカ・サーバ３０は、ユーザ端末１０から送られてきた情報に基づいて、電源回路に仕様されるコンデンサの電気的特性を計算し、計算した電気的特性に適合したコンデンサの機種をコンデンサ・データベース３２から検索する。そして、検索したコンデンサの機種に関する情報をユーザ端末１０に送る。
【００２５】
ユーザ端末１０には、電子部品メーカ・サーバ３０から送られてきたコンデンサの機種に関する情報がＷｅｂページとして表示される。ユーザは、ユーザ端末１０に表示されたコンデンサの機種に関する情報から、所望の機種を選択して注文する。ユーザによって注文された機種に関する情報は、ユーザ端末１０から電子部品メーカ・サーバ３０に送られる。
【００２６】
図３は、コンデンサの電気的特性の計算方法の一例を示している。
【００２７】
コンデンサの機種を特定するための電気的特性は、出力側コンデンサについては、静電容量Ｃ、ＥＳＲおよびリップル電流Ｃout Ｉrms であり、入力側コンデンサについてはリップル電流Ｃin  Ｉrms である。
【００２８】
図３には、電源回路の種類として、降圧型、昇圧型、反転型およびフライバック型の４種類に対するコンデンサの電気的特性の計算方法しか示されていないが、フォワード型に用いられるコンデンサの電気的特性は、降圧型におけるＶinの代わりに（ｎ２／ｎ１）・Ｖinを用い、降圧型におけるＣinＩrms におけるＩout の代わりに（ｎ２／ｎ１）・Ｉout を用いることによって、計算することができる。
【００２９】
〔２〕第２の実施の形態の説明
【００３０】
上記第１の実施の形態では、インターネットを介してユーザ端末１０と電子部品メーカ・サーバ３０とで情報を交換することにより、ユーザにコンデンサの機種を選択させるようにしているが、次のようにして、ユーザにコンデンサの機種を選択させるようにしてもよい。
【００３１】
つまり、電子部品メーカは、コンデンサ機種選択用のアプリケーションソフトが搭載されたパソコンを用意する。コンデンサ機種選択用のアプリケーションソフトとしては、図２に示すような電源回路の仕様入力画面を表示して、ユーザが使用する電源回路の仕様を入力させる機能、入力された電源回路の仕様に基づいて、電源回路に使用するコンデンサの電気的特性を自動的に計算する機能および計算した電気的特性に適合したコンデンサの機種をパソコン内のコンデンサ・データベースから検索して、提示する機能を備えたものが用いられる。
【００３２】
電子部品メーカの営業マンは、コンデンサ機種選択用のアプリケーションソフトが搭載されたパソコンをユーザとの商談の場に持ち込む。そして、このパソコンに電源回路の仕様入力画面を表示させて、ユーザが使用する電源回路の仕様の入力を行なう。パソコンは、仕様入力画面上で入力された電源回路の仕様に基づいて、電源回路に使用するコンデンサの電気的特性を自動的に計算する。そして、パソコンは、計算した電気的特性に適合したコンデンサの機種をパソコン内のコンデンサ・データベースから検索して、提示する。
【００３３】
営業マンは、パソコンによって提示されたコンデンサの機種からユーザに所定の機種を選択してもらうことにより、注文をとる。
【００３４】
〔３〕第３の実施の形態の説明
【００３５】
第３の実施の形態では、電子部品メーカは、ユーザから電源回路の仕様に関する情報を得るために、図４に示すようなコンデンサの機種選定のためのヒアリングシートをユーザに配付する。ヒアリングシートを配付する方法としては、コンデンサのカタログにヒアリングシートを付けてユーザに郵送したり、ヒアリングシートのみを郵送またはＦＡＸでユーザに送ったりする方法がある。
【００３６】
このヒアリングシートには、ユーザに関する情報（会社名、部署名、名前、電話番号、ＦＡＸ番号、Ｅ−ｍａｉｌ）を記入する記入欄と、電源回路の仕様に含まれている電源回路の電気的特性に関する情報を記入するための記入欄とが設けられているとともに、各種電源回路の回路図が記載されている。使用する電源回路の種類は、対応する回路図に〇をつけるように指示されている。
【００３７】
ユーザは、電源回路に使用するコンデンサを電子部品メーカから購入する際には、ヒアリングシートに必要な事項を記入した後に、ヒアリングシートを電子部品メーカにＦＡＸまたは郵送で送る。
【００３８】
電子部品メーカは、ユーザから送られてきたヒアリングシートの記入内容に基づいて、電源回路に使用されるコンデンサの電気的特性、すなわち、静電容量Ｃ、ＥＳＲ、出力側コンデンサのリップル電流Ｃout Ｉrms および入力側コンデンサのリップル電流ＣinＩrms を計算し、計算した電気的特性に適合したコンデンサの機種を選択して、ユーザに提示する。提示方法としては、ＦＡＸ、郵送等がある。
【００３９】
ユーザは、電子部品メーカから提示されたコンデンサの機種から、所定の機種を選択して、電子部品メーカに注文する。
【００４０】
以上は、電源回路に使用されるコンデンサの機種を選択する場合について説明したが、この発明は、これに限定されず、各種電子回路に使用される電子部品の機種を選択する場合に適用することが可能である。
【図面の簡単な説明】
【００４１】
図１は、全体的なシステムの構成を示すブロック図である。
図２は、電子回路の仕様入力画面の一例を示す模式図である。
図３は、コンデンサの電気的特性の計算方法の一例を示す表である。
図４は、コンデンサの機種選定のためのヒアリングシートの一例を示す模式図である。
【符号の説明】
【００４２】
１０  ユーザ端末
２０  インターネット
３０  電子部品メーカ・サーバ
３１  ユーザ管理データベース
３２  コンデンサ・データベース
【図１】
2008269656.tif 000003
【図２】
2008269656.tif 000004
【図３】
2008269656.tif 000005
【図４】
2008269656.tif 000006
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
電子回路の仕様毎に適合する特性値の計算式と、適合する特性値が関連づけられた電子部品データベースとを記憶したコンピュータを用いて、ユーザが所定の電子回路に使用される電子部品の機種を選択する方法であって、前記コンピュータは、
前記電子回路の種類を含む仕様情報をユーザに要求する仕様入力画面を表示するステップと、
ユーザにより入力された電子回路の仕様情報に基づき、当該電子回路の種類に対応する計算式を用いて、前記電子回路の仕様情報から当該電子回路に使用される電子部品の電気的特性を計算するステップと、
前記計算された電気的特性に適合した電子部品の機種を、電子部品データベースから検索するステップと、
検索された前記電子部品の機種を表示するステップと、を備えたことを特徴とする電子部品の機種選択方法。
【請求項２】
電源回路の仕様毎に適合する特性値の計算式と、適合する特性値が関連づけられたコンデンサ・データベースとを記憶したコンピュータを用いて、ユーザが所定の電源回路に使用されるコンデンサの機種を選択する方法であって、前記コンピュータは、
前記電源回路の種類を含む仕様情報をユーザに要求する仕様入力画面を表示するステップと、
ユーザにより入力された電源回路の仕様情報に基づき、当該電源回路の種類に対応する計算式を用いて、前記電源回路の仕様情報から当該電源回路に使用されるコンデンサの電気的特性を計算するステップと、
前記計算された電気的特性に適合したコンデンサの機種をコンデンサ・データベースから検索するステップと、
検索された前記コンデンサの機種を表示するステップと、を備えたことを特徴とする電子部品の機種選択方法。
【請求項３】
電子回路の仕様毎に適合する特性値の計算式と、適合する特性値が関連づけられた電子部品データベースとを記憶した電子部品メーカ・サーバから、ユーザ端末を通じて、所定の電子回路に使用される電子部品の機種を選択する方法であって、前記電子部品メーカ・サーバは、
前記電子回路の種類を含む仕様情報をユーザに要求する仕様入力画面をユーザ端末に表示するステップと、
ユーザによりユーザ端末から入力された電子回路の仕様情報に基づき、当該電子回路の種類に対応する計算式を用いて、前記電子回路の仕様情報から当該電子回路に使用される電子部品の電気的特性を計算するステップと、
前記計算された電気的特性に適合した電子部品の機種を、電子部品データベースから検索するステップと、
検索された前記電子部品の機種をユーザ端末に表示すると共に、ユーザが所望の機種を選択する画面を当該ユーザ端末に表示するステップと、を備えたことを特徴とする電子部品の機種選択方法。
【請求項４】
電源回路の仕様毎に適合する特性値の計算式と、適合する特性値が関連づけられたコンデンサ・データベースとを記憶した電子部品メーカ・サーバから、ユーザ端末を通じて、所定の電源回路に使用されるコンデンサの機種を選択する方法であって、前記電子部品メーカ・サーバは、
前記電源回路の種類を含む仕様情報をユーザに要求する仕様入力画面をユーザ端末に表示するステップと、
ユーザによりユーザ端末から入力された電源回路の仕様情報に基づき、当該電源回路の種類に対応する計算式を用いて、前記電源回路の仕様情報から当該電源回路に使用されるコンデンサの電気的特性を計算するステップと、
前記計算された電気的特性に適合したコンデンサの機種を、コンデンサ・データベースから検索するステップと、
検索された前記コンデンサの機種をユーザ端末に表示すると共に、ユーザが所望の機種を選択する画面を当該ユーザ端末に表示するステップと、を備えたことを特徴とする電子部品の機種選択方法。
【手続補正２】
【補正対象書類名】明細書
【補正対象項目名】０００７
【補正方法】変更
【補正の内容】
【０００７】
この発明による第1の電子部品の機種選択方法は、電子回路の仕様毎に適合する特性値の計算式と、適合する特性値が関連づけられた電子部品データベースとを記憶したコンピュータを用いて、ユーザが所定の電子回路に使用される電子部品の機種を選択する方法であって、前記コンピュータは、前記電子回路の種類を含む仕様情報をユーザに要求する仕様入力画面を表示するステップと、ユーザにより入力された電子回路の仕様情報に基づき、当該電子回路の種類に対応する計算式を用いて、前記電子回路の仕様情報から当該電子回路に使用される電子部品の電気的特性を計算するステップと、前記計算された電気的特性に適合した電子部品の機種を、電子部品データベースから検索するステップと、検索された前記電子部品の機種を表示するステップと、を備えたことを特徴とする。
【手続補正３】
【補正対象書類名】明細書
【補正対象項目名】０００８
【補正方法】変更
【補正の内容】
【０００８】
この発明による第２の電子部品の機種選択方法は、電源回路の仕様毎に適合する特性値の計算式と、適合する特性値が関連づけられたコンデンサ・データベースとを記憶したコンピュータを用いて、ユーザが所定の電源回路に使用されるコンデンサの機種を選択する方法であって、前記コンピュータは、前記電源回路の種類を含む仕様情報をユーザに要求する仕様入力画面を表示するステップと、ユーザにより入力された電源回路の仕様情報に基づき、当該電源回路の種類に対応する計算式を用いて、前記電源回路の仕様情報から当該電源回路に使用されるコンデンサの電気的特性を計算するステップと、前記計算された電気的特性に適合したコンデンサの機種をコンデンサ・データベースから検索するステップと、検索された前記コンデンサの機種を表示するステップと、を備えたことを特徴とする。
【手続補正４】
【補正対象書類名】明細書
【補正対象項目名】０００９
【補正方法】変更
【補正の内容】
【０００９】
この発明による第３の電子部品の機種選択方法は、電子回路の仕様毎に適合する特性値の計算式と、適合する特性値が関連づけられた電子部品データベースとを記憶した電子部品メーカ・サーバから、ユーザ端末を通じて、所定の電子回路に使用される電子部品の機種を選択する方法であって、前記電子部品メーカ・サーバは、前記電子回路の種類を含む仕様情報をユーザに要求する仕様入力画面をユーザ端末に表示するステップと、ユーザによりユーザ端末から入力された電子回路の仕様情報に基づき、当該電子回路の種類に対応する計算式を用いて、前記電子回路の仕様情報から当該電子回路に使用される電子部品の電気的特性を計算するステップと、前記計算された電気的特性に適合した電子部品の機種を、電子部品データベースから検索するステップと、検索された前記電子部品の機種をユーザ端末に表示すると共に、ユーザが所望の機種を選択する画面を当該ユーザ端末に表示するステップと、を備えたことを特徴とする。
【手続補正５】
【補正対象書類名】明細書
【補正対象項目名】００１０
【補正方法】変更
【補正の内容】
【００１０】
この発明による第４の電子部品の機種選択方法は、電源回路の仕様毎に適合する特性値の計算式と、適合する特性値が関連づけられたコンデンサ・データベースとを記憶した電子部品メーカ・サーバから、ユーザ端末を通じて、所定の電源回路に使用されるコンデンサの機種を選択する方法であって、前記電子部品メーカ・サーバは、前記電源回路の種類を含む仕様情報をユーザに要求する仕様入力画面をユーザ端末に表示するステップと、ユーザによりユーザ端末から入力された電源回路の仕様情報に基づき、当該電源回路の種類に対応する計算式を用いて、前記電源回路の仕様情報から当該電源回路に使用されるコンデンサの電気的特性を計算するステップと、前記計算された電気的特性に適合したコンデンサの機種を、コンデンサ・データベースから検索するステップと、検索された前記コンデンサの機種をユーザ端末に表示すると共に、ユーザが所望の機種を選択する画面を当該ユーザ端末に表示するステップと、を備えたことを特徴とする。